(57)【要約】【課題】電気光学装置、該電気光学装置を備えるプロジェクタで、倍率色収差の発生を効果的に低減可能とする。【解決手段】電気光学装置１は、光源からの光を変調する光変調素子２０と、入力画像情報を色情報と輝度情報とに分離する信号分離部１０２と、色情報に基づいて、複数の光学像を、複数の所定周期でそれぞれ射出するように光変調素子を駆動する駆動手段１０６等と、複数の光学像に対して、輝度情報に基づく輝度変調を行う輝度変調素子７０と、光変調素子と輝度変調素子との間で、複数の光学像を中継するリレー光学系４０と、グリッド偏光子ＷＧ１等を含む偏光光学系３０、６０と、垂直に配向された液晶分子からなる垂直配向型液晶が挟持され、液晶分子を傾斜させることで、複数の光学像をそれぞれ屈折可能な液晶素子５０と、液晶分子の傾斜角度を所定周期で変化させるように液晶素子を制御する制御手段１０８とを備える。【選択図】図３
2010054654.tif 000002
【特許請求の範囲】
【請求項１】
光源からの光を変調する光変調素子と、
入力画像情報を色情報と輝度情報とに分離する信号分離部と、
前記色情報に基づいて、複数の色変調光にそれぞれ対応した複数の光学像を、複数の所定周期でそれぞれ射出するように前記光変調素子を駆動する駆動手段と、
前記複数の光学像に対して、前記輝度情報に基づく輝度変調を行う輝度変調素子と、
前記光変調素子と前記輝度変調素子との間で、前記複数の光学像を中継するリレー光学系と、
グリッド偏光子を含むと共に前記複数の光学像の偏光状態を変化させる偏光光学系と、
配向膜をそれぞれ有する一対の基板の間に、前記配向膜によって垂直に配向された液晶分子からなる垂直配向型液晶が挟持されており、前記液晶分子を傾斜させることで、前記複数の光学像をそれぞれ屈折可能な液晶素子と、
前記液晶分子の傾斜角度を前記複数の所定周期の中の１つで変化させるように前記液晶素子を制御する制御手段と
を備えることを特徴とする電気光学装置。
【請求項２】
前記駆動手段は、時分割された複数の光学像を、前記複数の所定周期でそれぞれ射出するように前記光変調素子を駆動し、
前記輝度変調素子は、前記時分割された複数の光学像に対して、前記輝度変調を行い、
前記制御手段は、前記時分割された複数の光学像にそれぞれ対応して前記液晶分子の傾斜角度を変化させるように前記液晶素子を制御することを特徴とする請求項１に記載の電気光学装置。
【請求項３】
前記液晶素子は、複数の第１画素が配列されてなる第１画素領域を有すると共に、前記第１画素毎に印加される電圧を変化させることで、前記液晶分子の傾斜角度を変化させることを特徴とする請求項１又は２に記載の電気光学装置。
【請求項４】
前記光変調素子及び前記輝度変調素子は、反射型の液晶ライトバルブからそれぞれ構成されることを特徴とする請求項１から３のうちのいずれか一項に記載の電気光学装置。
【請求項５】
前記駆動手段は、前記複数の光学像として、Ｒ色変調光に対応したＲ光学像、Ｇ色変調光に対応したＧ光学像、及びＢ色変調光に対応したＢ光学像を、Ｒ周期、Ｇ周期及びＢ周期でそれぞれ射出するように前記光変調素子を駆動し、
前記輝度変調素子は、前記Ｒ光学像、前記Ｇ光学像及び前記Ｂ光学像に対して、前記輝度変調を行い、
前記制御手段は、前記Ｒ周期、前記Ｇ周期及び前記Ｂ周期にそれぞれ対応して前記液晶分子の傾斜角度を変化させるように前記液晶素子を制御することを特徴とする請求項１から４のうちのいずれか一項に記載の電気光学装置。
【請求項６】
前記光変調素子は、前記Ｒ光学像、前記Ｇ光学像及び前記Ｂ光学像にそれぞれ対応した３つのサブ画素を含む複数の第２画素が配列されてなる第２画素領域を有すると共に、
前記輝度変調素子は、前記第２画素にそれぞれ対応した第２変調領域を有することを特徴とする請求項５に記載の電気光学装置。
【請求項７】
前記輝度変調素子は、前記第２変調領域として、前記サブ画素にそれぞれ対応した変調領域を有することを特徴とする請求項６に記載の電気光学装置。
【請求項８】
前記リレー光学系は、倍率調整機構及び焦点調整機構のうち少なくとも一方を含むことを特徴とする請求項１から７のうちのいずれか一項に記載の電気光学装置。
【請求項９】
前記焦点調整機構は、前記複数の光学像を前記輝度変調素子の光入射面上で結像させることを特徴とする請求項８に記載の電気光学装置。
【請求項１０】
請求項１から９のうちいずれか一項に記載の電気光学装置と、
前記光を出射する光源と、
前記複数の光学像を投射する投射光学系と
を備えることを特徴とするプロジェクタ。
【発明の詳細な説明】
【技術分野】
【０００１】
本発明は、液晶素子を有する電気光学装置、及び該電気光学装置を備えるプロジェクタの技術分野に関する。
【背景技術】
【０００２】
近年、ＬＣＤ（Liquid Crystal Display）、ＥＬ（Electro-Luminescence）ディスプレイ、プラズマディスプレイ、ＣＲＴ（Cathode Ray Tube）、プロジェクタ等の表示装置における画質改善は目覚ましく、解像度、色域については人間の視覚特性にほぼ匹敵する性能を有する装置が実現されつつある。しかしながら、輝度ダイナミックレンジについてみると、その再現範囲は１〜１０２［nit］程度の範囲であり、また階調数は８ビットが一般的である。一方、人間の視覚は、一度に知覚し得る輝度ダイナミックレンジの範囲が１０−２〜１０４［nit］程度あり、また輝度弁別能力は０．２［nit］でこれを階調数に換算すると１２ビット相当といわれている。このような視覚特性を経由して現在のディスプレイ装置の表示画像を見ると、輝度ダイナミックレンジの狭さが目立ち、加えてシャドウ部やハイライト部の階調が不足しているため、視聴者は表示画像のリアリティや迫力に対して物足りなさを感じることになる。
【０００３】
また、映画やゲーム等で使用されるＣＧ（Computer Graphics）では、人間の視覚に近い輝度ダイナミックレンジや階調特性を表示データ（以下、ＨＤＲ（High Dynamic Range）表示データという）に持たせて描写のリアリティを追求する動きが主流になりつつある。ところが、それを表示するディスプレイ装置の性能が不足しているため、ＣＧコンテンツが本来有する表現力を充分に発揮できないという課題がある。
さらに、次期ＯＳ（Operating System）においては、１６ビット色空間の採用が予定されており、現在の８ビット色空間と比較してダイナミックレンジや階調数が飛躍的に増大する。そのため、１６ビット色空間を生かすことができる高ダイナミックレンジ、高階調の電子ディスプレイ装置の実現への要求が高まると予想される。
表示装置の中でも、液晶プロジェクタ等の投射型画像表示装置（プロジェクタ）は、大画面表示が可能であり、表示画像のリアリティや迫力を再現する上で効果的な表示装置である。この分野では上記の問題を解決するために、以下に述べる提案がなされている（例えば、特許文献１参照）。
【０００４】
特許文献１に記載の投射型画像表示装置は、第１光変調素子により第１の方向に反射された光が第２光変調素子を介して光合成手段に入射され、第１光変調素子により第２の方向に反射された光が光合成手段に直接入射されることにより、光の利用効率を向上させ、輝度の拡大及び階調性能の改善の両方を実現している。
【特許文献１】特開２００５−２８４０５８号公報
【発明の開示】
【発明が解決しようとする課題】
【０００５】
しかしながら、上記の特許文献１に記載の投射型画像表示装置は、分離した２つの光の経路を合成する光学系を内蔵することで装置構成が複雑化してしまう。そこで、従来の投射型画像表示装置における装置構成を複雑化させること無く、輝度の拡大及び階調性能を改善することのできる技術の提供が望まれている。
【０００６】
加えて、例えばＰＢＳ（ＰｏｌａｒｉｚｅｄＢｅａｍＳｐｌｉｔｔｅｒ）等の偏光光学系として、ワイヤーグリッド型の偏光分離素子を用いた場合、例えば、短冊形状のアルミ部を有する平行平板によって構成されるワイヤーグリッド型の偏光分離素子を光が透過する際にＲ光、Ｇ光及びＢ光が分光してしまうことにより、Ｒ光学像、Ｇ光学像及びＢ光学像を投射する倍率にばらつきが生じてしまい、所謂、倍率色収差が発生してしまうという技術的な問題点がある。
【０００７】
本発明は、例えば上述した問題点に鑑みなされたものであり、倍率色収差の発生を効果的に低減可能である電気光学装置、該電気光学装置を備えるプロジェクタを提供することを課題とする。
【課題を解決するための手段】
【０００８】
（電気光学装置）
本発明の電気光学装置は上記課題を解決するために、光源からの光を変調する光変調素子と、入力画像情報を色情報と輝度情報とに分離する信号分離部と、前記色情報に基づいて、複数の色変調光にそれぞれ対応した複数の光学像を、複数の所定周期でそれぞれ射出するように前記光変調素子を駆動する駆動手段と、前記複数の光学像に対して、前記輝度情報に基づく輝度変調を行う輝度変調素子と、前記光変調素子と前記輝度変調素子との間で、前記複数の光学像を中継するリレー光学系と、グリッド偏光子を含むと共に前記複数の光学像の偏光状態を変化する偏光光学系と、配向膜をそれぞれ有する一対の基板の間に、前記配向膜によって垂直に配向された液晶分子からなる垂直配向型液晶が挟持されており、前記液晶分子を傾斜させることで、前記複数の光学像をそれぞれ屈折可能な液晶素子と、前記液晶分子の傾斜角度を前記複数の所定周期の中の１つで変化させるように前記液晶素子を制御する制御手段とを備える。
【０００９】
本発明の電気光学装置によれば、光変調素子によって、光源からの光が変調される。信号分離部によって、入力画像情報が色情報と輝度情報とに分離される。駆動手段によって、色情報に基づいて、複数の色変調光にそれぞれ対応した複数の光学像が、複数の所定周期でそれぞれ射出するように前記光変調素子が駆動される。輝度変調素子によって、複数の光学像に対して、輝度情報に基づく輝度変調が行われる。リレー光学系によって、光変調素子と輝度変調素子との間で、複数の光学像が中継される。偏光光学系は、グリッド偏光子を含むと共に複数の光学像の偏光状態を変化させる。グリッド偏光子としては、典型的には、ワイヤーグリッドを挙げることができる。これにより、輝度情報に、ブランキング期間を挿入すること可能であり、映像中のオブジェクトが動く際に、オブジェクトの縁部の階調が低下してぼんやりと表示されることを防止又は抑制することが可能である。
【００１０】
液晶素子は、配向膜をそれぞれ有する一対の基板の間に、配向膜によって垂直に配向された液晶分子からなる垂直配向型液晶を挟持しており、この液晶分子を傾斜させることで、複数の光学像をそれぞれ屈折可能である。制御手段は、液晶分子の傾斜角度を所定周期で変化させるように液晶素子を制御する。
【００１１】
これにより、垂直配向型の液晶素子における液晶分子の傾斜角を、これら複数の光学像のそれぞれに対して変化させることができる。これにより、グリッド偏光子を含む偏光光学系を光が透過する際に複数の光学像がそれぞれ分光した場合、垂直配向型の液晶素子において、複数の光学像のそれぞれの屈折率を変化させることができるので、倍率色収差の発生を効果的に防止することができる。以上の結果、高コントラストの実現、ダイナミックレンジの向上、多階調化、及び色再現範囲の拡大を実現可能である。
【００１２】
仮に、上述した液晶素子を用いることなく、例えばワイヤーグリッド等のグリッド偏光子を含む偏光光学系を用いた場合、例えば、短冊形状のアルミ部を有する平行平板によって構成されるグリッド偏光子を光が透過する際に、例えばＲ光、Ｇ光及びＢ光等を含む白色光が色毎に分光してしまうことにより、例えばＲ光学像、Ｇ光学像及びＢ光学像等の複数の光学像を投射する倍率にばらつきが生じてしまい、所謂、倍率色収差が発生してしまうという技術的な問題点がある。
【００１３】
本発明の電気光学装置の一の態様では、前記駆動手段は、時分割された複数の光学像を、前記複数の所定周期でそれぞれ射出するように前記光変調素子を駆動し、前記輝度変調素子は、前記時分割された複数の光学像に対して、前記輝度変調を行い、前記制御手段は、前記時分割された複数の光学像にそれぞれ対応して前記液晶分子の傾斜角度を変化させるように前記液晶素子を制御する。
この態様によれば、垂直配向型の液晶素子における液晶分子の傾斜角を、これら時分割された複数の光学像に対して、高精度に変化させることができるので、倍率色収差の発生をより効果的に防止することができる。
【００１４】
本発明の電気光学装置の他の態様では、前記液晶素子は、複数の第１画素が配列されてなる第１画素領域を有すると共に、前記第１画素毎に印加される電圧を変化させることで、前記液晶分子の傾斜角度を変化させる。
この態様によれば、垂直配向型の液晶素子における液晶分子の傾斜角を、複数の光学像に対して、複数の第１画素毎に変化させることができるので、光学像の部分毎に倍率色収差の発生をより効果的に防止することができる。
【００１５】
本発明の電気光学装置の他の態様では、前記光変調素子及び前記輝度変調素子は、反射型の液晶ライトバルブからそれぞれ構成される。
この態様によれば、２種類の液晶ライトバルブによって、色情報と輝度情報との両方を別々に制御する２変調方式を簡便に実現できる。加えて、光学系の光学設計の簡便化、並びに、光学系の寸法の省空間化を実現できると共に、３板式の光学系と比較して製造コストを低減可能である。
【００１６】
本発明の電気光学装置の他の態様では、前記駆動手段は、前記複数の光学像として、Ｒ色変調光に対応したＲ光学像、Ｇ色変調光に対応したＧ光学像、及びＢ色変調光に対応したＢ光学像を、Ｒ周期、Ｇ周期及びＢ周期でそれぞれ射出するように前記光変調素子を駆動し、前記輝度変調素子は、前記Ｒ光学像、前記Ｇ光学像及び前記Ｂ光学像に対して、前記輝度変調を行い、前記制御手段は、前記Ｒ周期、前記Ｇ周期及び前記Ｂ周期にそれぞれ対応して前記液晶分子の傾斜角度を変化させるように前記液晶素子を制御する。
この態様によれば、垂直配向型の液晶素子における液晶分子の傾斜角を、Ｒ光学像、Ｇ光学像及びＢ光学像に対して、高精度なタイミング（即ち、Ｒ周期、Ｇ周期及びＢ周期）に変化させることができるので、倍率色収差の発生をより効果的に防止することができる。
【００１７】
上述した光変調素子及び輝度変調素子に係る態様では、前記光変調素子は、前記Ｒ光学像、前記Ｇ光学像及び前記Ｂ光学像にそれぞれ対応した３つのサブ画素を含む複数の第２画素が配列されてなる第２画素領域を有すると共に、前記輝度変調素子は、前記第２画素にそれぞれ対応した第２変調領域を有するようにしてよい。
このように構成すれば、光変調素子の画素構造に対して、輝度変調素子の画素構造が単純化されるため、輝度変調素子における製造コストを低減することができる。
【００１８】
更に、上述した光変調素子及び輝度変調素子に係る態様では、前記輝度変調素子は、前記第２変調領域として、前記サブ画素にそれぞれ対応した変調領域を有するようにしてよい。
このように構成すれば、輝度変調素子は、光変調素子と同様の画素構成を有するため、光変調素子における製造工程を大きく変更することなく輝度変調素子を製造できる。よって、輝度変調素子用として特別な構造の光学素子を用いる必要が無くなるので、製造コストの上昇を抑制することができる。
【００１９】
本発明の電気光学装置の他の態様では、前記リレー光学系は、倍率調整機構及び焦点調整機構のうち少なくとも一方を含む。
この態様によれば、リレー光学系に含まれる倍率調整機構及び焦点調整機構の少なくとも一方の作用により、電気光学装置の光学系内の光路や光軸上の各構成要素の位置関係に多少のズレが生じたとしても、光学像を拡大或いは縮小することで、光変調素子で合成された光学像を、輝度変調素子上に結像することができる。
【００２０】
上述したリレー光学系に係る態様では、前記焦点調整機構は、前記複数の光学像を前記輝度変調素子の光入射面上で結像させるようにしてよい。
このように構成すれば、焦点調整機構により光変調素子により変調された光学像が輝度変調素子に結像された状態で入射されるので、モアレの発生を低減することができる。
【００２１】
（プロジェクタ）
本発明のプロジェクタは上記課題を解決するために、上述した本発明の電気光学装置（但し、各種の態様を含む）と、前記光を出射する光源と、前記複数の光学像を投射する投射光学系とを備えることを特徴とするプロジェクタ。
本発明のプロジェクタによれば、上述した本発明の電気光学装置と概ね同様にして、本発明のプロジェクタにおいて、倍率色収差の発生を効果的に防止することができる。
なお、本発明のプロジェクタにおいても、上述した本発明の電気光学装置についての各種態様と同様の態様を適宜採ることが可能である。
本発明の作用及び他の利得は次に説明する、発明を実施するための最良の形態から明らかにされる。
【発明を実施するための最良の形態】
【００２２】
（第１実施形態）
（電気光学装置の光学系の基本構成）
次に、本実施形態に係る電気光学装置の光学系における基本構成について、図１及び図２を参照して説明する。ここに、図１は、本実施形態に係る電気光学装置の光学系における基本構成を示すブロック図である。
【００２３】
図１に示されるように、例えばプロジェクタ等の電気光学装置１の光学系は、装置本体１Ａ、投射レンズ４及びスクリーンＳを備えて構成されている。
【００２４】
装置本体１Ａは、光源部１０と、色変調用の反射型の液晶ライトバルブ２０、ワイヤーグリッドＷＧ１を有する偏光分離素子３０、ダイクロイックプリズム３５、リレーレンズ４０、垂直配向型液晶パネル５０、ワイヤーグリッドＷＧ２を有する偏光分離素子６０、並びに、輝度変調用の反射型液晶ライトバルブ７０を備えて構成されている。
このうち、液晶ライトバルブ２０は、図１に示すように、光源１１が発する赤色光（以下、「Ｒ光」と称す）、緑色光（以下、「Ｇ光」と称す）、及び青色光（以下、「Ｂ光」と称す）それぞれに対応する、R光用ライトバルブ２０R、G光用ライトバルブ２０G及びB光用ライトバルブ２０Bを含む。また、偏光分離素子３０は、前記R光、G光及びB光のそれぞれに対応する、偏光分離素子３０R、偏光分離素子３０G及び偏光分離素子３０Bを含む。
【００２５】
光源部１０は、光源１１と、第１、第２フライアレイレンズ１３ａ、１３ｂと、偏光変換素子１４とを備えている。また、光源１１は、R光、G光及びB光を含む白色光を射出するものである。光源１１は、光を射出する高圧水銀ランプ１１ａと、高圧水銀ランプ１１ａから射出された光を反射させるリフレクタ（反射部）１１ｂとを備えている。高圧水銀ランプ１１ａは、赤色光、緑色光、青色光を含む白色光を射出するランプである。
【００２６】
第１及び第２フライアレイレンズ１３ａ及び１３ｂは、高圧水銀ランプ１１ａから射出された光の照度分布を均一化するレンズである。偏光変換素子１４は、均一化された不定偏光状態の光を後述する色変調用の反射型の液晶ライトバルブ２０及び輝度変調用の反射型液晶ライトバルブ７０に入射可能な特定の偏光方向の光に変換する素子である。また、偏光変換素子１４は、例えば、ＰＢＳアレイと、１／２波長板とで構成されており、ランダム偏光を特定の直線偏光に変換するものである。
なお、光源１１から発せられた前記白色光は、第１・色分離素子９Ａにおいて、Ｒ光と、Ｇ光及びＢ光を含む光に分離され、第２・色分離素子９Ｂにおいて、Ｇ光とＢ光とに分離される。
【００２７】
色変調用の反射型の液晶ライトバルブ２０は、表面上に反射画素電極をマトリクス状に形成したシリコン基板と透明電極を形成した透明基板とをスペーサを介して対向配置し、その間に液晶が封入されている。シリコン基板には、反射画素電極を駆動するための駆動回路も形成されている。これら２つの基板の表面には液晶を所定の方向に配向するための配向膜が形成されている。外部からの色データ（即ち、色情報）に基づいて反射型の液晶ライトバルブ２０を駆動すると、液晶分子の配列が変調信号に応じて変化し、それに伴って入射光束の偏光状態が変化する。
偏光分離素子３０を透過した光は、反射型の液晶ライトバルブ２０で偏光状態に変調を受けて反射され、偏光分離素子３０に入射した光束のうち、例えばＳ偏光成分及びＰ偏光成分のうちＳ偏光成分（即ち、色変調を受けた光成分）は全反射されてリレーレンズ４０、垂直配向型液晶パネル５０、偏光分離素子６０を経て、輝度変調用の反射型液晶ライトバルブ７０上に結像される。
【００２８】
偏光分離素子３０は、ワイヤーグリッドＷＧ１を有すると共に、例えば、偏光ビームスプリッタ（ＰｏｌａｒｉｚｅｄＢｅａｍＳｐｌｉｔｔｅｒ：以下、適宜、「ＰＢＳ」と称す）アレイと１／２波長板等とから構成されており、光源から出射された不定偏光状態の光束を後段の光学系で利用できるように振動方向が一方向に揃った偏光に変換する。
ワイヤーグリッドＷＧ１は、本発明に係るグリッド偏光子の一具体例を構成する。図２は、本実施形態に係る偏光分離素子に設けられたグリッド偏光子の一具体例であるワイヤーグリッドを模式的に示した平面図（図２（ａ））、及びＨ１−Ｈ１’に沿った断面図（図２（ｂ））である。なお、図２中のＸ軸、Ｙ軸及びＺ軸は共通である。図２（ａ）及び図２（ｂ）に示されるように、本実施形態に係る偏光分離素子３０は、ワイヤーグリッド３０１及び導電線３０１ａを備えて構成されている。本実施形態に係るワイヤーグリッド３０１は、ガラス等の透明基板に、アルミニウム、銀、Ｃｒ等の金属からなり一定周期で平行に配置された直線格子状の導電線３０１ａから構成されてよい。その導電線３０１ａの配置周期は０．３μｍ以下、導電線３０１ａの格子のデューティ比が０．１〜０．３、導電線３０１ａの格子の溝深さが０．０５から０．４μｍに設定されてよい。
【００２９】
このようなワイヤーグリッド３０１は、ランダム偏光（即ち、自然偏光）の光を入射させると、ワイヤーグリッド３０１の導電線３０１ａに沿った方向に平行に振動する電界ベクトルを保持する偏光成分を反射し、導電線３０１ａに沿った方向に直交に振動する偏光成分を透過させる。光がワイヤーグリッド３０１を透過することで、その導電線３０１ａに沿った方向に直交する偏光方向を有する直線偏光を得ることができる。
【００３０】
ダイクロイックプリズム３５は、偏光分離素子３０（＝３０Ｒ，３０Ｇ，３０Ｂ）を透過し、液晶ライトバルブ２０（＝２０Ｒ，２０Ｇ，２０Ｂ）で色変調を受けたＲ光、Ｇ光及びＢ光をリレーレンズ４０へ向けて進行させる。
【００３１】
リレーレンズ４０は、開口絞りに対して略対称に配置された前段レンズ群、後段レンズ群からなる等倍結像レンズである。リレーレンズ４０は、前段レンズ群、後段レンズ群は、複数の凸レンズ及び凹レンズを含んで構成されているが、レンズの形状、大きさ、配置間隔及び枚数、テレセントリック性、倍率その他のレンズ特性は、要求される特性によって適宜変更される。このような構成に基づいて、リレーレンズ４０は、上記の色変調用の反射型の液晶ライトバルブ２０で合成された光学像（光）を、輝度変調用の反射型液晶ライトバルブ７０に中継する。
特に、リレーレンズ４０は、倍率調整機構及び焦点調整機構を含んでいる。なお、リレーレンズ４０は、倍率調整機構及び焦点調整機構のいずれか一方を含む構成であってもよい。この倍率調整機構及び焦点調整機構は、例えば上記の凸レンズ及び凹レンズの形状や曲率を適宜設定することで種々に構成される。この構成により、電気光学装置１の光学系内の光路や光軸上の各構成要素の位置関係に多少のズレが生じたとしても、倍率調整機構により光学像を拡大或いは縮小することで、色変調用の反射型の液晶ライトバルブ２０で合成された光学像（光）を、輝度変調用の反射型液晶ライトバルブ７０上に結像することができる。
【００３２】
垂直配向型の液晶パネル５０は、当該液晶パネル５０に封入された液晶層の液晶分子のチルト角を変化させることで、光が当該液晶パネル５０を透過する際の屈折率を変化させ、倍率色収差の発生を効果的に防止する。なお、この垂直配向型の液晶パネル５０の詳細については、後述される。
【００３３】
偏光分離素子６０は、上述の偏光分離素子３０と概ね同様の構成であって、ワイヤーグリッドＷＧ２を有すると共に、例えば、偏光ビームスプリッタ（ＰＢＳ）アレイと１／２波長板等とから構成されており、光源から出射された不定偏光状態の光束を後段の光学系で利用できるように振動方向が一方向に揃った偏光に変換する。
【００３４】
輝度変調用の反射型液晶ライトバルブ７０は、上述した色変調用の反射型の液晶ライトバルブ２０と概ね同様の構成であって、表面上に反射画素電極をマトリクス状に形成したシリコン基板と透明電極を形成した透明基板とをスペーサを介して対向配置し、その間に液晶が封入されている。シリコン基板には、反射画素電極を駆動するための駆動回路も形成されている。これら２つの基板の表面には液晶を所定の方向に配向するための配向膜が形成されている。外部からの輝度データ（即ち、輝度情報）に基づいて反射型の液晶ライトバルブ７０を駆動すると、液晶分子の配列が変調信号に応じて変化し、それに伴って入射光束の偏光状態が変化する。光は、輝度変調用の反射型液晶ライトバルブ７０で偏光状態に変調を受けて反射され、偏光分離素子６０に入射した光束のうち、例えばＳ偏光成分（輝度変調を受けた光成分）は全反射されて投射レンズ４を経てスクリーンＳ上に拡大投射される。
【００３５】
特に、例えばプロジェクタ等の電気光学装置１は、色情報（又は色データ）と輝度情報（又は輝度データ）との両方を別々に独立して制御して変調し、色変調用の反射型の液晶ライトバルブ２０から射出された光学像を、リレーレンズ４０を介して輝度変調用の液晶ライトバルブ７０に中継し、重畳して輝度変調を行うことにより画像を生成することができる。これにより、色情報の色変調の影響による輝度情報を変調する際の変調範囲の狭くなることを抑制可能であると共に、輝度情報の輝度変調の影響による色情報を変調する際の変調範囲の狭くなることを抑制可能である。この結果、プロジェクタ等の電気光学装置１から投射される画像を高輝度ダイナミックレンジであって且つ高階調数を備えた画質に変換することができる。
【００３６】
（電気光学装置の制御装置の基本構成）
次に、本実施形態に係る電気光学装置の制御装置における基本構成について、図３を参照して説明する。ここに、図３は、本実施形態に係る電気光学装置の制御装置における基本構成を示すブロック図である。
【００３７】
図３において、本実施形態に係る電気光学装置の制御装置１００は、インターフェイス１０１、ＹＣ分離回路１０２、Ｙ処理回路１０３、Ｃ処理回路１０４、駆動制御回路１０５、１０６及び１０７、制御回路１０８、ＲＯＭ１０９、制御対象としての輝度変調用の反射型液晶ライトバルブ７０、制御対象としての色変調用の反射型の液晶ライトバルブ２０、並びに、制御対象としての垂直配向型液晶パネル５０を備えて構成されている。なお、色変調用の反射型の液晶ライトバルブ（所謂、Ｃ変調素子）２０によって、本発明に係る光変調素子の一例が構成されている。輝度変調用の反射型の液晶ライトバルブ（所謂、Ｙ変調素子）７０によって、本発明に係る輝度変調素子の一例が構成されている。垂直配向型液晶パネル５０によって、本発明に係る液晶素子の一例が構成されている。制御回路１０８によって、本発明に係る制御手段の一例が構成されている。駆動制御回路１０６によって、本発明に係る駆動手段の一例が構成されている。なお、駆動制御回路１０５、１０６及び１０７は一つの回路にまとめられていてもよい。
【００３８】
例えばＨＤＲ（HighDynamicRange）映像信号等の入力映像データは、インターフェース１０１を経由して、ＹＣ分離回路１０２に入力される。ＹＣ分離回路１０２では、例えば入力された入力映像データに含まれる画素値（例えばＸ０）に基づいて、輝度変調用の反射型液晶ライトバルブ７０を駆動制御するための制御値（即ち、輝度データ）と、色変調用の反射型の液晶ライトバルブ２０を駆動制御するための制御値（即ち、色データ）を算出する処理を行う。ＹＣ分離回路１０２で算出された輝度変調用の液晶ライトバルブ７０の制御値は、駆動制御回路１０５内の輝度用のフレームメモリに格納される。加えて、色変調用の液晶ライトバルブ２０の制御値は、駆動制御回路１０６内の色用のフレームメモリに格納される。なお、輝度データによって、本発明に係る輝度情報の一例が構成されている。また、色データによって、本発明に係る色情報の一例が構成されている。
【００３９】
駆動制御回路１０５によって、フレームメモリに格納された制御値に基づいて、輝度変調用の液晶ライトバルブ７０に駆動信号が供給される。加えて、駆動制御回路１０６によって、フレームメモリに格納された制御値に基づいて、色変調用の液晶ライトバルブ２０に駆動信号が供給される。このように、輝度変調用の液晶ライトバルブ７０及び色変調用の液晶ライトバルブ２０を駆動することで、輝度ダイナミックレンジの広い画像を含む映像を表示することができる。
【００４０】
制御回路１０８は、所謂、フレーム切換信号やフィールド切換信号を出力可能に構成され、Ｒ光学像を射出するためのＲ用の周期Ｔｒ、Ｇ光学像を射出するためのＧ用の周期Ｔｇ及びＢ光学像を射出するためのＢ用の周期Ｔｂに対応して、垂直配向型の液晶パネル５０の各画素に印加される電圧を変化させる各種の制御信号を出力する。なお、この制御回路１０８の詳細な動作原理については後述される。
【００４１】
ＲＯＭ１０９には、垂直配向型液晶パネル５０の各画素に印加される印加電圧の基準値を補正する値である補正値Ｄｒ、Ｄｇ及びＤｂがそれぞれ格納され、制御回路１０８と入出力可能に構成されている。なお、これらの補正値Ｄｒ、Ｄｇ及びＤｂについては後述される。
【００４２】
（透過型の垂直配向型液晶パネル）
次に、垂直配向型の液晶パネル５０について説明する。ここに、図４は、本実施形態に係る液晶パネルの全体構成図（図４（ａ））及び、当該図４（ａ）のＨ−Ｈ’線に沿う断面構成図（図４（ｂ））である。図５は、本実施形態に係る液晶パネルの構成を示す説明図である。
液晶パネル５０は、図４に示すように、互いに対向して配置された対向基板５１とＴＦＴアレイ基板５２とを備え、シール材３３を介して両者を貼り合わせた構成である。対向基板５１、ＴＦＴアレイ基板５２、及びシール材３３に囲まれた領域内に、液晶層５３が封入されている。液晶層５３は、負の誘電率異方性を有する液晶からなり、本実施形態の液晶パネル５０では、図５に示すように、液晶分子５３ｅが配向膜５２ａ、５１ｂの間で所定の傾き（プレチルト角）を有して垂直配向した構成である。
【００４３】
液晶パネル５０は、ＴＦＴアレイ基板５２、対向基板５１及びシール材３３で区画された領域に封止された液晶層５３を有している。液晶パネル５０のうちシール材３３の形成領域の内側には、周辺見切りとなる遮光膜３５が形成されている。シール材３３の外周側の角部には、ＴＦＴアレイ基板５２と対向基板５１との電気的導通をとるための基板間導通材５７が配設されている。
【００４４】
ＴＦＴアレイ基板５２のうち平面視でシール材３３の形成領域の外側となる領域に、データ線駆動回路７１及び外部回路実装端子７５と、２個の走査線駆動回路７３とが形成されている。さらに、ＴＦＴアレイ基板５２の上記領域には、上記画像表示領域の両側に設けられた走査線駆動回路７３の間を接続するための複数の配線７４も形成されている。データ線駆動回路７１及び走査線駆動回路７３をＴＦＴアレイ基板５２上に形成する代わりに、例えば、駆動用ＬＳＩが実装されたＴＡＢ（Tape Automated Bonding）基板とＴＦＴアレイ基板５２の周辺部に形成された端子群とを異方性導電膜を介して電気的及び機械的に接続してもよい。
【００４５】
対向基板５１は、図４（ｂ）に示すように、平面的に配列された複数のマイクロレンズを有するマイクロレンズ基板（集光基板）である。対向基板５１は、基板９２と、樹脂層９３と、カバーガラス９４とを主体として構成されている。
【００４６】
基板９２及びカバーガラス９４は、ガラス等からなる透明基板であり、石英やホウ珪酸ガラス、ソーダライムガラス（青板ガラス）、クラウンガラス（白板ガラス）等からなる基板を用いることもできる。基板９２の液晶層５３側（図示下面側）には、複数の凹部（マイクロレンズ）９５が形成されている。マイクロレンズ９５は、液晶層５３と反対側から基板９２に入射する光を集光して液晶層５３側に射出する。
【００４７】
樹脂層９３は、基板９２のマイクロレンズ９５上に充填された樹脂材料からなる層であり、光を透過可能な樹脂材料、例えばアクリル系樹脂等を用いて形成される。樹脂層９３は、基板９２の一面側を覆い、マイクロレンズ９５の凹状の内部を充填するように設けられている。樹脂層９３の上面は平坦面とされ、かかる平坦面にカバーガラス９４が貼り付けられている。
【００４８】
マイクロレンズ基板の液晶層５３側の面には、遮光膜３５と、共通電極９７と、配向膜５１ｂとが形成されている。遮光膜３５は平面視略格子状を成してカバーガラス９４上に形成されている。マイクロレンズ５１ａは、遮光膜３５の間に位置して、液晶パネル５０の画素領域（画素電極４２の形成領域）に平面視で重なる領域にそれぞれ配置されている。配向膜５１ｂは液晶層５３を構成する液晶分子を基板面に対して略垂直に配向させる垂直配向膜であり、例えば、斜方蒸着により柱状構造を有して形成されたシリコン酸化物膜や、配向処理を施されたポリイミド膜等からなるものである。
【００４９】
ＴＦＴアレイ基板５２は、ガラスや石英等からなる透明の基板４１と、基板４１の液晶層５３側面に形成された画素電極４２と、画素電極を駆動するＴＦＴ４４と、配向膜５２ａとを主体として構成されている。
【００５０】
画素電極４２は、例えばＩＴＯ等の透明導電材料からなる平面視略矩形状の導電膜であり、図４（ａ）に示すように、基板４１上に平面視マトリクス状に配列され、平面視でマイクロレンズ５１ａと重なる領域に形成されている。
ＴＦＴ４４は、図示を簡略化しているが、画素電極４２の各々に対応して基板４１上に形成されており、通常は平面視で対向基板５１側の遮光膜３５と重なる領域（非表示領域、遮光領域）に配置されている。
【００５１】
画素電極４２を覆って形成された配向膜５２ａは、先の配向膜５１ｂと同様に、斜方蒸着により形成されたシリコン酸化物膜等からなる垂直配向膜である。
配向膜５２ａ、５１ｂは、互いの配向方向（柱状構造物の配向方向）が平面視でほぼ平行になるように形成されており、液晶層５３を構成する液晶分子５３ｅを基板面に対して所定の傾きを有してほぼ垂直に配向させるとともに、液晶分子の５３ｅ傾き方向を基板面方向で一様なものとするべく機能する。
【００５２】
なお、基板４１の液晶層５３側の表面のうち平面視でシール材３３の形成領域の内側となる領域には、画素電極４２やＴＦＴ４４を接続するデータ線（図示略）や走査線（図示略）が形成されている。データ線及び走査線は、平面視で遮光膜３５と重なる領域に形成されている。そして、遮光膜３５やＴＦＴ４４、データ線、走査線によって縁取られた領域が液晶パネル５０の画素領域とされる。そして、複数の画素領域が平面視マトリクス状に配列されて画像表示領域を構成している。
【００５３】
特に、図５に示されるように、液晶パネル５０において、液晶層５３を挟持して対向する配向膜５２ａ、５１ｂは、例えば基板法線方向から５０°程度ずれた斜め方向からシリコン酸化物を蒸着して形成されている。膜厚はいずれも４０ｎｍ程度である。配向膜５２ａにおける配向方向と配向膜５１ｂにおける配向方向とは互いに平行でよい。そして、配向膜５２ａ、５１ｂの配向規制力により、液晶分子５３ｅは基板法線から２°〜８°程度傾いた状態で配向するとともに、液晶分子５３ｅのダイレクタの方向（プレチルト方向Ｐ）が基板面方向で配向方向に沿った方向となるように配向している。
【００５４】
上述した制御回路によって、Ｒ光学像を射出するためのＲ用の周期Ｔｒ、Ｇ光学像を射出するためのＧ用の周期Ｔｇ及びＢ光学像を射出するためのＢ用の周期Ｔｂに対応して、垂直配向型の液晶パネル５０の各画素に印加される電圧を変化させる。典型的には、後述されるように、周期Ｔｒ、Ｔｇ及びＴｂは、１フレーム周期Ｔや１フィールド周期を３つに時分割した周期でよい。これにより、垂直配向型の液晶パネル５０の液晶層５３における液晶分子５３ｅのチルト角を、Ｒ光学像、Ｇ光学像及びＢ光学像のそれぞれに対して変化させることができる。これにより、ワイヤーグリッド型の偏光分離素子３０を光が透過する際にＲ光学像、Ｇ光学像及びＢ光学像が分光した場合、垂直配向型の液晶パネル５０において、Ｒ光学像、Ｇ光学像及びＢ光学像のそれぞれの屈折率を変化させることができるので、倍率色収差の発生を効果的に防止することができる。
詳細には、液晶パネル５０に封入された液晶層５３は、光学的に正の一軸性を示すもので、液晶分子５３ｅのダイレクタ方向５３１の屈折率が他の方向の屈折率より大きくなっている。すなわち液晶層５３は、上述した図５に平均的な屈折率楕円体５３０を示すように、ラグビーボール型の屈折率楕円体を有するものとなっている。これにより、液晶分子５３ｅのチルト角をＲ光学像、Ｇ光学像及びＢ光学像のそれぞれに対して変化させることで、屈折率楕円体５３０のチルト角をＲ光学像、Ｇ光学像及びＢ光学像のそれぞれに対して変化させる。この結果、垂直配向型の液晶パネル５０において、Ｒ光学像、Ｇ光学像及びＢ光学像のそれぞれの屈折率を時分割的に変化させることができる。
【００５５】
（動作原理）
次に、本実施形態に係る垂直配向型の液晶パネルの動作原理について、図６及び図７を参照して説明する。ここに、図６は、本実施形態に係る垂直配向型の液晶パネルの動作原理を示すフローチャートである。図７は、本実施形態に係る垂直配向型の液晶パネルの各画素に印加される電圧及び当該電圧に対応した液晶分子のチルト角を示したテーブル（図７（ａ））及び液晶分子のチルト角の一例を図式的に示した液晶層の断面図（図７（ｂ））である。
【００５６】
図６において、本実施形態に係る垂直配向型の液晶パネルの動作が開始されると、先ず、制御回路の制御下で、周期がＲ光学像を射出するためのＲ用の周期Ｔｒであるか否かが判定される（ステップＳ１０１）。ここで、周期がＲ用の周期Ｔｒであると判定される場合（ステップＳ１０１：Ｙｅｓ）、印加電圧の基準値を補正する値として、補正値Ｄｒが適用される（ステップＳ１０２）。これにより、図７（ａ）及び図７（ｂ）に示されるように、周期Ｔｒでは、液晶分子５３ｅは、印加電圧の基準値を補正値Ｄｒで補正した電圧に対応したチルト角Ｐｒで傾斜する。
【００５７】
他方、ステップＳ１０１の判定の結果、周期がＲ用の周期Ｔｒであると判定される場合（ステップＳ１０１：Ｎｏ）、更に、制御回路の制御下で、周期がＧ光学像を射出するためのＧ用の周期Ｔｇであるか否かが判定される（ステップＳ１０３）。ここで、周期がＧ用の周期Ｔｇであると判定される場合（ステップＳ１０３：Ｙｅｓ）、印加電圧の基準値を補正する値として、補正値Ｄｇが適用される（ステップＳ１０４）。これにより、図７（ａ）及び図７（ｂ）に示されるように、周期Ｔｇでは、液晶分子５３ｅは、印加電圧の基準値を補正値Ｄｇで補正した電圧に対応したチルト角Ｐｇで傾斜する。
【００５８】
他方、ステップＳ１０３の判定の結果、周期がＧ用の周期Ｔｇであると判定されない場合（ステップＳ１０３：Ｎｏ）、周期はＢ用の周期Ｔｂであると判定されるので、印加電圧の基準値を補正する値として、補正値Ｄｂが適用される（ステップＳ１０５）。これにより、図７（ａ）及び図７（ｂ）に示されるように、周期Ｔｂでは、液晶分子５３ｅは、印加電圧の基準値を補正値Ｄｂで補正した電圧に対応したチルト角Ｐｂで傾斜する。
【００５９】
（本実施形態に係る垂直配向型の液晶パネルの作用と効果との検討）
次に、図８を参照して、本実施形態に係る垂直配向型の液晶パネルの作用と効果とについて説明する。ここに、図８は、比較例において倍率色収差が発生する原理を概念的に示した模式図（図８（ａ））、及び本実施形態に係る垂直配向型の液晶パネルの作用と倍率色収差の発生を防止する原理を概念的に示した模式図（図８（ｂ））である。
図８（ａ）の比較例に示されるように、例えばＰＢＳ等の偏光光学系として、ワイヤーグリッド型の偏光分離素子３０を用いた場合、例えば、短冊形状のアルミ部を有するワイヤーグリッドＷＧ１によって構成されるワイヤーグリッド型の偏光分離素子３０を光が透過する際にＲ光、Ｇ光及びＢ光のそれぞれの進行方向にばらつきが生じてしまうことにより、Ｒ光学像、Ｇ光学像及びＢ光学像を投射する倍率にばらつきが生じてしまい、所謂、倍率色収差が発生してしまうという技術的な問題点がある。
なお、倍率色収差等が発生するのは、図１に示す、リレーレンズ４０の中心線ＣＬからみて、図中左右の光学系が対称に配置されていないことにもよる。
【００６０】
これに対して本実施形態によれば、図８（ｂ）に示されるように、例えば１フレーム中を時分割して入力されるＲ画像データ、Ｇ画像データ及びＢ画像データに基づいて、反射型の液晶ライトバルブ２０から、Ｒ光学像、Ｇ光学像及びＢ光学像が、Ｒ用の周期Ｔｒ、Ｇ用の周期Ｔｇ及びＢ用の周期Ｔｂごとにそれぞれ射出される。典型的には、周期Ｔｒ、Ｔｇ及びＴｂは、１フレーム周期Ｔや１フィールド周期を３つに時分割した周期でよい。
【００６１】
このことに加えて、これらのＲ光学像、Ｇ光学像及びＢ光学像のそれぞれに対して、垂直配向型の液晶パネル５０の各画素に印加される電圧を変化させる。これにより、垂直配向型の液晶パネル５０の液晶層５３における液晶分子５３ｅのチルト角を、Ｒ光学像、Ｇ光学像及びＢ光学像のそれぞれに対して変化させることができる。これにより、Ｒ光学像、Ｇ光学像及びＢ光学像のそれぞれの屈折率を変化させることができるので、前述した倍率色収差の発生を効果的に防止することができる。
【００６２】
（第２実施形態）
次に、本発明の第２実施形態について、図９を参照して説明する。第２実施形態は、例えばプロジェクタ等の電気光学装置１の構成が異なっている。ここに、図９は、第２実施形態に係る色変調用の反射型の液晶ライトバルブと、輝度変調用の反射型液晶ライトバルブとの光学的な関係を図式的に示した外観斜視図（図９（ａ）及び図９（ｂ））である。なお、以下に説明する実施形態の図面において、上述した第１実施形態と共通の構成については同一符号を付し、その説明については省略若しくは簡略化することにする。
【００６３】
上記第１実施形態では、三つの液晶ライトバルブを備えた、所謂、三板方式のプロジェクタであったが、この第２実施形態では、通常は、１つの色変調用の反射型の液晶ライトバルブ２０を備えた１板方式の電気光学装置であることが想定される（本発明は、基本的に、どのような構成であっても、Ｒ光学像、Ｇ光学像及びＢ光学像のそれぞれに対応して、垂直配向型液晶パネル５０の印加電圧をそれぞれ変化可能であればよい。）。
【００６４】
第２実施形態に係る色変調用の反射型の液晶ライトバルブ２０により生成される光学像２５１は、図９（ａ）に示されるように複数の画素２５２を含む。また、各画素２５２は異なる色の変調光を含む複数のサブ画素２５３Ｒ，２５３Ｇ，２５３Ｂから構成される。これに対し、輝度変調用の反射型液晶ライトバルブ７０は輝度変調領域７５０を有し、この輝度変調領域７５０は複数の画素７５５を含んでいる。この画素７５５は上記の色変調用の反射型の液晶ライトバルブ２０に生成された光学像の各画素２５２に対応するもので、それぞれにおいて輝度変調が可能となっている。
【００６５】
ここで、光学像２５１における画素２５２と、輝度変調領域７５０における画素７５５とが対応するとは、ある画素２５２における変調光が所定の画素７５５に重ねられることを意味する。すなわち、光源部１０の光について色変調と輝度変調とを重ねて行うことができる。このように輝度変調用の反射型液晶ライトバルブ７０の輝度変調領域７５０の画素構造にてサブ画素を無くすことで画素構造を簡略化し、輝度変調用の反射型液晶ライトバルブ７０のコスト低減している。すなわち、電気光学装置１自体の低コスト化を実現できる。
【００６６】
あるいは、図９（ｂ）に示されるように輝度変調領域７５０における画素７５５が色変調用の反射型の液晶ライトバルブ２０の画素２５１と同一構成であってもよい。すなわち、輝度変調領域７５０における画素７５５は三つのサブ画素７５５Ｒ、７５５Ｇ、及び７５５Ｂを備えている。このように、電気光学装置１の色変調用の反射型の液晶ライトバルブ２０における製造工程を大きく変更することなく輝度変調用の反射型液晶ライトバルブ７０を製造できる。よって、輝度変調用の反射型液晶ライトバルブ７０として特別な構造の液晶表示素子を用いる必要が無く、コスト上昇を防止できる。
【００６７】
以上述べたように、第１実施形態の電気光学装置１について、高輝度ダイナミックレンジであって且つ高階調数を備えた画質に変換することができる。
【００６８】
なお、本発明は上述した実施形態に限定されず、本発明の趣旨を逸脱しない範囲内において種々の変更が可能である。例えば、上記実施形態ではプロジェクタとして反射型の液晶ライトバルブを備えたものについて説明したが、本発明は透過型の液晶ライトバルブを備えたプロジェクタについても適用可能である。また、ＤＬＰ（DigitalLightProcessing、商標）方式のプロジェクタについても適用可能である。
【００６９】
また、上記の実施形態においては、光源１０として、高圧水銀ランプ１１ａとリフレクタ１１ｂとを備えたものを例示したが、本発明はこれに限定されない。例えば、光源１０として、液晶装置に用いられるバックライトや、有機ＥＬ素子等の従来から照明装置として用いられるものであれば種々のものに置き換え可能である。
【００７０】
本発明は、上述した実施形態に限られるものではなく、請求の範囲及び明細書全体から読み取れる発明の要旨或いは思想に反しない範囲で適宜変更可能であり、そのような変更を伴う電気光学装置、該電気光学装置を備えたプロジェクタもまた本発明の技術的範囲に含まれるものである。
【図面の簡単な説明】
【００７１】
【図１】本実施形態に係る電気光学装置の光学系における基本構成を示すブロック図である。
【図２】本実施形態に係る偏光分離素子に設けられたグリッド偏光子の一具体例であるワイヤーグリッドを模式的に示した平面図（図２（ａ））、及びＨ１−Ｈ１’に沿った断面図（図２（ｂ））である。
【図３】本実施形態に係る電気光学装置の制御装置における基本構成を示すブロック図である。
【図４】本実施形態に係る液晶パネルの全体構成図（図４（ａ））及び、当該図４（ａ）のＨ−Ｈ’線に沿う断面構成図（図４（ｂ））である。
【図５】本実施形態に係る液晶パネルの構成を示す説明図である。
【図６】本実施形態に係る垂直配向型の液晶パネルの動作原理を示すフローチャートである。
【図７】本実施形態に係る垂直配向型の液晶パネルの各画素に印加される電圧及び当該電圧に対応した液晶分子のチルト角を示したテーブル（図７（ａ））及び液晶分子のチルト角の一例を図式的に示した液晶層の断面図（図７（ｂ））である。
【図８】比較例において倍率色収差が発生する原理を概念的に示した模式図（図８（ａ））、及び本実施形態に係る垂直配向型の液晶パネルの作用と倍率色収差の発生を防止する原理を概念的に示した模式図（図８（ｂ））である。
【図９】第２実施形態に係る色変調用の反射型の液晶ライトバルブと、輝度変調用の反射型液晶ライトバルブとの光学的な関係を図式的に示した外観斜視図（図９（ａ）及び図９（ｂ））である。
【符号の説明】
【００７２】
１…電気光学装置、１Ａ…装置本体、４…投射レンズ、１０…光源部、２０…色変調用の反射型の液晶ライトバルブ、３０…偏光分離素子、４０…リレーレンズ、５０…垂直配向型液晶パネル、６０…偏光分離素子、７０…輝度変調用の反射型液晶ライトバルブ、１００…電気光学装置の制御装置、１０１…インターフェイス、１０２…ＹＣ分離回路、１０３…Ｙ処理回路、１０４…Ｃ処理回路、１０５、１０６及び１０７…駆動制御回路、１０８…制御回路、１０９…ＲＯＭ、Ｓ…スクリーン、ＷＧ１、ＷＧ２…ワイヤーグリッド。
【図１】
2010054654.tif 000003
【図２】
2010054654.tif 000004
【図３】
2010054654.tif 000005
【図４】
2010054654.tif 000006
【図５】
2010054654.tif 000007
【図６】
2010054654.tif 000008
【図７】
2010054654.tif 000009
【図８】
2010054654.tif 000010
【図９】
2010054654.tif 000011